(57)【要約】【課題】排出口から飼料が円滑に落下、供給されなくなる事態を防止することができ、落下、供給される飼料の量を微妙に調整することができる家畜用給餌器を提供する。【解決手段】  飼料ホッパー２の下端部に案内筒体３の上端を連結する。飼料ホッパー２内に吊下部材４，５を配設し、吊下部材５の下端部に作動部材６を固定し、中間部にブリッジ防止部材７を固定する。飼料ホッパー２の上端部に支持部材８を配設し、吊下部材４の上端部を支持部材８に支持する。給水タンク１０を飼料ホッパー２の下端に連結し、案内筒体３内に配設し、給水器１１を給水タンク１０に装着する。【選択図】図１
2007215487.tif 000002
【特許請求の範囲】
【請求項１】
飼料ホッパーと、この飼料ホッパーの下端部に連結した案内筒体と、前記飼料ホッパー内に配設された吊下部材と、この吊下部材の下端部に固定された作動部材と、前記吊下部材の中間部に固定されたブリッジ防止部材と、前記飼料ホッパーの上端部に配設され、前記吊下部材の上端部を支持する支持部材と、前記飼料ホッパーの下端に連結され、前記案内筒体内に配設された給水タンクと、この給水タンクに装着された給水器と、底皿と、から構成される家畜用給餌器。
【請求項２】
前記ブリッジ防止部材は、逆円錐台状であることを特徴とする請求項１に記載の家畜用給餌器。
【請求項３】
前記吊下部材を上下移動する餌量調整機構を配設したことを特徴とする請求項１又は２に記載の家畜用給餌器。
【請求項４】
前記餌量調整機構は、前記吊下部材の上端部とハンドルの基端部とを螺合状態を介して連結したものであることを特徴とする請求項１乃至３何れかに記載の家畜用給餌器。
【請求項５】
前記給水タンクは、防錆金属材料を鋳造して中空の円環体に成形し、その外周面には適宜間隔でネジ孔を形成したことを特徴とする請求項１乃至４何れかに記載の家畜用給餌器。
【請求項６】
前記底皿を区画する仕切板を配設したことを特徴とする請求項１乃至５何れかに記載の家畜用給餌器。
【発明の詳細な説明】
【技術分野】
【０００１】
本発明は、仔豚等の家畜に餌を与えるための家畜用給餌器に関する。
【背景技術】
【０００２】
従来、この種の家畜用給餌器１０１として、図７乃至図９に示すように、飼料ホッパー１０２、吊下部材１０３、作動部材１０４、攪拌部材１０５、底皿１０６等から構成されるものが知られている（例えば、特許文献１参照。）。
この家畜用給餌器１０１は、仔豚が鼻又は口で作動部材１０４を揺動し、攪拌部材１０５を揺動することによって、飼料ホッパー１０２内の飼料ａを攪拌し、下端の排出口から底皿１０６へと飼料aを円滑に落下、供給するようになっている。
【０００３】
又、上記家畜用給餌器１０１には、図７及び図１１に示すように、飼料ホッパー１０２の上端部に支持部材１０７を配設し、この支持部材１０７に吊下部材１０３の上端部を連結すると共に、餌量調整機構１０８を配設してある。
そして、餌量調整機構１０８により支持部材１０７を回動させ、吊下部材１０３を適宜上下移動することによって、飼料ホッパー１０２下端の排出口の開口面積を調整し、底皿１０６へ落下、供給する飼料aの量を調整できるようになっている。
【０００４】
又、上記家畜用給餌器１０１には、図７及び図９に示すように、飼料ホッパー１０２の下端部外周に円環状の給水タンク１０９を配設し、この給水タンク１０９の周面に適宜間隔で給水器１１０を配置すると共に、上面に給水パイプ１１１の下端を連結してある。
そして、仔豚が給水器１１０を口に銜えて、その作用杆１１０ａを揺動することによって、給水パイプ１１１から給水タンク１１０に貯留された水を飲むことができるようになっている。
【０００５】
さらに、上記家畜用給餌器１０１には、図７及び図９に示すように、その上端を前記給水タンク１０９の周面に固着させ、その下端を前記底皿１０６の周面に固着させた湾曲状の仕切棒１１２を適宜間隔で配設してある。
そして、仔豚はこの仕切棒１１２で区画された空間内で、争うことなく食餌又は飲水できるようになっている。
【０００６】
【特許文献１】登録実用新案第３０１９０３７号公報
【発明の開示】
【発明が解決しようとする課題】
【０００７】
しかし、上記家畜用給餌器１０１では、図８に示すように、飼料ホッパー１０２内の上端部から下端部に至るまで飼料ａが一杯に貯蓄されているため、仔豚が食餌しない特に夜間等において、畜舎内の湿度によって飼料ａが膨張し、飼料ホッパー１０２内で、又、排出口近傍で飼料ａが詰まり、排出口から底皿１０６へと飼料aが円滑に落下、供給されなくなるという問題があった。
【０００８】
又、上記家畜用給餌器１０１では、図１１及び図１２に示すように、餌量調整機構１０８は、複数穿設した適宜孔部にピンを嵌挿することによって支持部材１０６の回動位置を設定するため、吊下部材１０３を連続的に上下移動することができず、排出口の開口面積の微妙な調整をすることができないから、底皿１０６へ落下、供給する飼料aの量を微妙に調整することはできなかった。
【０００９】
又、上記家畜用給餌器１０１では、図７に示すように、その上端を前記給水タンク１０９の周面に固着させ、その下端を前記底皿１０６の周面に固着させた湾曲状の仕切棒１１２を適宜間隔で配設したから、仔豚が頭部を仕切棒１１２と飼料ホッパー１０２の下端部との間に挟まれることもあり、非常に危険であった。
【００１０】
又、上記家畜用給餌器１０１では、図９及び図１０に示すように、円環状の給水タンク１０９は、ステンレス鋼板等により円環状に製作すると共に、飼料ホッパー１０２の下端部外周に配設していたから、製作及び配設は極めて面倒であった。
【００１１】
さらに、上記家畜用給餌器１０１は、図９に示すように、吊下部材１０３、作動部材１０４、攪拌部材１０５等を構成する部品点数が多く、構成も複雑であり、組立工程も多かったから、高価にならざるを得なかった。
【００１２】
本発明は、かかる問題点に鑑みて為されたものであって、その目的とするところは、飼料ホッパー内で、又、排出口近傍で飼料が詰まり、排出口から飼料が円滑に落下、供給されなくなる事態を防止することができ、落下、供給される飼料の量を微妙に調整することができ、仔豚が頭部を挟まれる危険性もなく、円環状の給水タンクの製作及び配設も容易であり、しかも、構成する部品点数が少なく、構成も簡単であり、組立工程も少なく、製造コストを安価にすることができる家畜用給餌器を提供することにある。
【課題を解決するための手段】
【００１３】
上記目的を達成するために、本発明は、飼料ホッパーと、この飼料ホッパーの下端部に連結した案内筒体と、前記飼料ホッパー内に配設された吊下部材と、この吊下部材の下端部に固定された作動部材と、前記吊下部材の中間部に固定されたブリッジ防止部材と、前記飼料ホッパーの上端部に配設され、前記吊下部材の上端部を支持する支持部材と、前記飼料ホッパーの下端に連結され、前記案内筒体内に配設された給水タンクと、この給水タンクに装着された給水器と、底皿と、から家畜用給餌器を構成したことを特徴とする。
【００１４】
かかる構成によれば、ブリッジ防止部材の下方空間、給水タンクの内周空間、案内筒体内側空間には、常時空気層が存在しているから、夜間等において畜舎内の湿度によって飼料ａが膨張し、飼料ホッパー内で、又、排出口近傍で飼料ａが詰まり、排出口から底皿へ円滑に落下、供給されなくなるという問題は発生しない。
【００１５】
前記ブリッジ防止部材は、逆円錐台状であることが好ましい。
【００１６】
前記吊下部材を上下移動する餌量調整機構を配設するのが好ましい。
【００１７】
前記餌量調整機構は、前記吊下部材の上端部とハンドルの基端部とを螺合状態を介して連結したものとするのが好ましい。
【００１８】
かかる構成によれば、吊下部材を連続的に上下移動することができるから、排出口の開口面積の微妙な調整をすることができ、底皿へ落下、供給する飼料の量を微妙に調整することができる。
【００１９】
前記給水タンクは、防錆金属材料を鋳造して中空の円環体に成形し、その外周面には適宜間隔でネジ孔を形成するのが好ましい。
【００２０】
前記底皿を区画する仕切板を配設すれば、仔豚が頭部を挟まれる虞はなく、安全である。
【発明を実施するための最良の形態】
【００２１】
以下、本発明の家畜用給餌器の好適な実施形態について、図面を参照して説明する。
【００２２】
本発明の家畜用給餌器１は、図１乃至図４に示すように、飼料ホッパー２、案内筒体３、吊下部材４，５、作動部材６、ブリッジ防止部材７、支持部材８、餌量調整機構９、給水タンク１０、給水器１１、給水パイプ１２、底皿１３、仕切板１４等から構成される。
【００２３】
飼料ホッパー２は、図１乃至図４に示すように、上半部を円筒状、下半部を円錐状としてあり、飼料ホッパー２の下端部に案内筒体３を連結してある。
案内筒体３は、図４に示すように、周方向に適宜間隔で挿通孔３ａ，３ａ，・・・を穿設してある。
【００２４】
吊下部材４は、図１及び図４に示すように、上端部をＬ型に折曲し、ナット１５を固着すると共に、下端部を鉤状に形成してある。
吊下部材５は、図２乃至図４に示すように、上端部を鉤状に形成すると共に、下端部に雄ネジ５ａを刻設してある。
【００２５】
作動部材６は、図４に示すように、中央部を円錐状とし、周辺部を平坦状としてあり、中心部に挿通孔６ａを穿設してある。
そして、吊下部材５の下端部を作動部材６の挿通孔６ａに挿通させ、雄ネジ５ａにナット１６，１７を螺合して、吊下部材５の下端部に作動部材６を固定してある。
【００２６】
ブリッジ防止部材７は、図１乃至図４に示すように、逆円錐台状としてあり、上面部には嵌挿孔７ａを穿設してある。
そして、吊下部材５をブリッジ防止部材７の嵌挿孔７ａに挿通させ、吊下部材５の中間部にブリッジ防止部材７を溶接によって固定してある。
【００２７】
吊下部材４の下端部に吊下部材５の上端部を掛止し、吊下部材４の上端部は餌量調整機構９を介して支持部材８に連結してある。
支持部材８は、断面コ型を呈するように成形し、その両端を飼料ホッパー２の上端部内面にネジ等により固着し、架設してある。
【００２８】
餌量調整機構９は、図５及び図６に示すように、支持部材８の上面に形成した挿通孔８ａ、回転防止用長孔８ｂ，８ｂと、吊下部材４の上端部に固着したナット１５と、頭部に円管部材１８を固着したボルト１９と、基端部をＬ型に折曲し、先端部を適宜角度折曲したハンドル２０から構成される。
そして、ボルト１９を挿通孔８ａに挿通させ、ナット１５に雄ネジ１９ａを螺合させ、
円管部材１８にハンドル２０の基端部を回動自在に嵌挿してある。
【００２９】
給水タンク１０は、図２乃至図４に示すように、黄銅等の防錆材料を鋳造して、中空の円環体に成形したものであり、その外周面には適宜間隔でネジ孔１０ａ，１０ａ，・・・を形成してある。
給水タンク１０の外径は、前記案内筒体３の内径より小とし、給水タンク１０の内径は、前記飼料ホッパー２の下端開口の内径と略同一としてある。
【００３０】
給水タンク１０のネジ孔１０ａ，１０ａ，・・・には、図４に示すように、給水器１１を螺着できるようになっている。
又、分岐管２１及び連結管２２を介して給水器１１を螺着することもでき、この分岐管２１には給水パイプ１２を螺着することもできるようになっている。
【００３１】
底皿１３は、図１乃至図３に示すように、中央部を円錐台状に隆起させてあり、飼料ａが中央部から周辺部に流動するようになっている。
【００３２】
仕切板１４は、飼料ホッパー２の下半部、案内筒体３、底皿１３の内周面にネジ等によって固定され、適宜間隔で配設されている。
【００３３】
家畜用給餌器１は、図４に示すように、先ず、飼料ホッパー２の下端部に案内筒体３の上端を溶接等により固着、連結し、飼料ホッパー２の下端開口に給水タンク１０の内周上端を溶接等により固着、連結する。
【００３４】
次に、ブリッジ防止部材７を溶接等によって固定した吊下部材５を飼料ホッパー２内に位置させ、吊下部材５の下端部を飼料ホッパー２の下端開口、給水タンク１０の内周空間、案内筒体３の下端開口を通過、突出させ、吊下部材５の下端部に作動部材６を固定する。
【００３５】
そして、吊下部材４の下端部に吊下部材５の上端部を掛止し、吊下部材４の上端部を餌量調整機構９を介して支持部材８に連結する。又、案内筒体３に穿設した挿通孔３ａより給水器１１の基端部を挿入し、給水タンク１０のネジ孔１０ａに螺着する。
【００３６】
最後に、分岐管２１に給水パイプ１２を螺着すると共に、仕切板１４を飼料ホッパー２の下半部、案内筒体３の外周面、底皿１３の内周面にネジ等によって固定すれば、家畜用給餌器１を組み立てることができる。
【００３７】
本発明の家畜用給餌器１では、図２及び図３に示すように、仔豚が鼻又は口で作動部材６を揺動すれば、飼料ホッパー２内の飼料ａは、飼料ホッパー２の内周面とブリッジ防止部材７の外周面との間隙を流動しつつ落下し、飼料ホッパー２の下端開口、給水タンク１０の内周空間を通過し、案内筒体３の下端開口から底皿１３へと円滑に落下する。
【００３８】
本発明の家畜用給餌器１では、飼料ａが凝集してブリッジを発生し易い飼料ホッパー２内の下端部にブリッジ防止部材７を配設してあるから、ブリッジを発生することはなく、飼料ホッパー２内の飼料ａを飼料ホッパー２から円滑に排出することができる。
【００３９】
又、飼料ホッパー２内でブリッジ防止部材７の下方空間、給水タンク１０の内周空間、案内筒体３の内側空間には、飼料ａが一杯に貯蓄されているのではなく、常時空気層が存在しているから、夜間等において畜舎内の湿度によって飼料ａが膨張し、飼料ホッパー２内で、又、排出口近傍で飼料ａが詰まり、排出口から底皿１３へ円滑に落下、供給されなくなるという問題は発生しない。
【００４０】
本発明の家畜用給餌器１では、ハンドル２０を支持部材８に形成した回転防止用長孔８ｂから脱出させ、ハンドル２０を垂直軸回りに回転させれば、ボルト１９と螺合したナット１５が上下移動し、よって、吊下部材４を適宜上下移動することができ、案内筒体３下端の排出口の開口面積を調整し、底皿１３へ落下、供給する飼料aの量を調整することができる。
【００４１】
そして、餌量調整機構９は、ハンドル２０を回転させることによりボルト１９と螺合したナット１５を上下移動するものであって、吊下部材４を連続的に上下移動することができるから、排出口の開口面積の微妙な調整をすることができ、底皿１３へ落下、供給する飼料aの量を微妙に調整することができる。
【００４２】
又、本発明の家畜用給餌器１では、仕切板１４を飼料ホッパー２の下半部、案内筒体３、底皿１３の内周面にネジ等によって固定し、適宜間隔で配設したから、仔豚が頭部を挟まれる虞はなく、安全である。
【００４３】
本発明の家畜用給餌器１では、給水タンク１０は、黄銅等の防錆材料を鋳造して、中空の円環体に成形したものであるから、製作は容易である。又、飼料ホッパー２の下端開口に給水タンク１０の内周上端を溶接等により固着、連結するだけであるから、配設も容易である。
【００４４】
さらに、本発明の家畜用給餌器１は、吊下部材４，５、作動部材６、給水タンク１０等を構成する部品点数が少なく、構成も簡単であり、組立工程も少ないから、安価にすることができる。
【図面の簡単な説明】
【００４５】
【図１】本発明の家畜用給餌器の外観斜視図である。
【図２】本発明の家畜用給餌器の縦断面図である。
【図３】本発明の家畜用給餌器の作用を示す説明図である。
【図４】本発明の家畜用給餌器の分解斜視図である。
【図５】本発明の家畜用給餌器の餌量調整機構を示す説明図である。
【図６】図５に示す餌量調整機構の要部説明図である。
【図７】従来の家畜用給餌器の外観斜視図である。
【図８】従来の家畜用給餌器の作用を示す説明図である。
【図９】従来の家畜用給餌器の分解斜視図である。
【図１０】従来の家畜用給餌器の給水器装着部における断面図である。
【図１１】本発明の家畜用給餌器の餌量調整機構を示す説明図である。
【図１２】図１１に示す餌量調整機構の要部説明図である。
【符号の説明】
【００４６】
１  家畜用給餌器
２  飼料ホッパー
３  案内筒体
４  吊下部材
５  吊下部材
６  作動部材
７  ブリッジ防止部材
８  支持部材
９  餌量調整機構
１０  給水タンク
１０ａ  ネジ孔
１１  給水器
１３  底皿
１４  仕切板
２０  ハンドル
【図１】
2007215487.tif 000003
【図２】
2007215487.tif 000004
【図３】
2007215487.tif 000005
【図４】
2007215487.tif 000006
【図５】
2007215487.tif 000007
【図６】
2007215487.tif 000008
【図７】
2007215487.tif 000009
【図８】
2007215487.tif 000010
【図９】
2007215487.tif 000011
【図１０】
2007215487.tif 000012
【図１１】
2007215487.tif 000013
【図１２】
2007215487.tif 000014